(57)【要約】【課題】収容された紙片に記載された内容を外部から読取れ、紙片の破損、汚損を防止できる携帯図板を提供する。【解決手段】板状の基盤１０と、この基盤１０の一方の面１０ａに紙片保持部材２１，２２と、基盤１０の他方の面１０ｂに収容部３０とを備えた携帯図板１に対して、収容部３０を主収容部３０ａと、この主収容部３０ａよりも外表面側に位置する補助収容部３０ｂとから構成し、補助収容部３０ｂを主収容部３０ａを形成する仕切部３３と、光透過材からなる透視部材３４とを重ねること形成する。【選択図】図１
0003125112.tif 000002
【実用新案登録請求の範囲】
【請求項１】
板状の基盤と、この基盤の一方の面に紙片保持部材と、該基盤の他方の面に収容部とを備えた携帯図板であって、
前記収容部は、主収容部と、この主収容部よりも外表面側に位置する補助収容部とから構成され、
該補助収容部は、該主収容部を形成する仕切部と、光透過材からなる透視部材とを重ねることで間に形成される空間であることを特徴とする携帯図板。
【請求項２】
請求項１に記載の携帯図板において、
前記主収容部の開口部分である主側開口部と、前記補助収容部の開口部分である補助側開口部とが同一方向に向かって開口し、
これら主側開口部と補助側開口部とを開閉可能に前記基盤へ配置されつつ、内部に蓋内収容部を有する蓋部を備えたことを特徴とする携帯図板。
【請求項３】
請求項１に記載の携帯図板において、
前記主収容部は、板状の前記透視部材と前記基盤とを周縁の一部を布材で連結するとともに、該周縁の両端部分を蛇腹状に折畳まれたマチ部で連結することによって形成されたことを特徴とする携帯図板。
【考案の詳細な説明】
【技術分野】
【０００１】
本考案は、屋外学習を行なう際に携行される携帯図板に関する。
【背景技術】
【０００２】
この種の従来の携帯図板として、特許文献１に開示されたものがある。図９〜１１に示すように、従来の携帯図板１１０は、プラスチック板１０１の表裏両面に金属板１０２をサンドイッチ状に重合した金属複合板１０９の表側縁部に紙片挾持装置１０３を付設し、この金属複合板１０９の角隅部にバンド付設部１０４を形成し、このバンド付設部１０４にバンド１０５を架設して首掛けバンド１０６を形成したことにより、金属複合板１０９が温度上昇等の気温の変化によりたわみ変形しにくいため、常にこの金属複合板１０９上で良好な記入ができる極めて実用性に秀れた携帯筆記下板となる。また、軽量な上に傷みにくく耐久性に秀れ、製作コストもかからず量産性に秀れコスト安の製品を提供できるものである。また、金属複合板１０９の裏面にバンド付設部１０７が付設されているため、バンド付設部１０７に記入用紙や筆記用具等を収納して同時携行できる利点がある。
【特許文献１】特開平７−２９９９９２号公報
【考案の開示】
【考案が解決しようとする課題】
【０００３】
しかしながら、前記従来の携帯図板１１０では、金属複合板１０９にバンド付設部１０７を設けただけなので、バンド付設部１０７に記入用紙等の紙片を収納した状態で、収められた紙片に記載された内容を外部から読みとることができない。したがって、紙片に記載された内容を確認するには、その度に紙片を取出さなければならず、紙片の扱いが煩雑なうえ、紙片を破損、汚損する可能性があった。
【０００４】
そこで、本考案は、前記した課題を解決すべくなされたものであり、収容された紙片に記載された内容を外部から読取れ、紙片の破損、汚損を防止できる携帯図板を提供することを目的とする。
【課題を解決するための手段】
【０００５】
請求項１の考案は、板状の基盤と、この基盤の一方の面に紙片保持部材と、該基盤の他方の面に収容部とを備えた携帯図板であって、前記収容部は、主収容部と、この主収容部よりも外表面側に位置する補助収容部とから構成され、該補助収容部は、該主収容部を形成する仕切部と、光透過材からなる透視部材とを重ねることで間に形成される空間であることを特徴とする。
【０００６】
請求項２の考案は、請求項１に記載の携帯図板において、前記主収容部の開口部分である主側開口部と、前記補助収容部の開口部分である補助側開口部とが同一方向に向かって開口し、これら主側開口部と補助側開口部とを開閉可能に前記基盤へ配置されつつ、内部に蓋内収容部を有する蓋部を備えたことを特徴とする。
【０００７】
請求項３の考案は、請求項１に記載の携帯図板において、前記主収容部は、板状の前記透視部材と前記基盤とを周縁の一部を布材で連結するとともに、該周縁の両端部分を蛇腹状に折畳まれたマチ部で連結することによって形成されたことを特徴とする。
【考案の効果】
【０００８】
請求項１の考案によれば、補助収容部に地図等の紙片を挿入した状態で、紙片に記載された内容が読みとれるとともに、簡便に紙片の紛失、汚損を防止できる。
【０００９】
請求項２の考案によれば、補助収容部に挿入された紙片の視認性を損なわずに開口部を蓋部で閉止して、挿入された紙片の紛失を防止しつつ、主収容部と蓋内収容部とで十分な収容容積を確保することができる。
【００１０】
請求項３の考案によれば、補助収容部に挿入された紙片の視認性を損なうことなく、主収容部に十分な収容容積を確保することができる。
【考案を実施するための最良の形態】
【００１１】
以下、本考案の第１実施形態を図面に基づいて説明する。図１〜図４は、携帯図板の一実施形態を示し、図１は本実施形態の携帯図板を一方の面側から見た斜視図、図２は本実施形態の他方の面側から見た斜視図、図３は図２の各部を展開した様子を示す斜視図、図４は持手部の拡大図、図５は図４のＡ−Ａ線に沿った断面図である。
【００１２】
本実施形態の携帯図板１は、基盤１０の一方の面１０ａに紙片Ｐを仮止めし、盤面を下敷きにして仮止めされた紙片に書込むことができるとともに、基盤１０の他方の面に複数の紙片と筆記具を収容し、屋外での体験学習を補助する学習教材である。
【００１３】
基盤１０は、図１に示すように、四角形に形成された板状の部材からなり、四隅のそれぞれには基盤１０を貫通し、鳩目１３ａによって補強された紐孔１３が設けられている。そして、これら紐孔１３のうちの２ヶ所に肩紐１４の端部を係止した状態で、肩紐１４を児童の首や肩に掛け、盤面を安定させる。
【００１４】
肩紐１４の端部には、図２に示すように、樹脂からなる係止片１４ａが配置され、肩紐１４の端部形状が略Ｔ字状に形成されている。肩紐１４の端部を紐孔１３に通す際には、係止片１４ａが固定された肩紐１４の部分で折曲げて直線状にして係止片１４ａを紐孔１３に通し、係止片１４ａが紐孔１３を通過したところでＴ字状に復元し、紐孔１３に係止片１４ａを係合させる。
【００１５】
基盤１０の周縁には、図１，図２に示すように、保護材として断面コ字形状に折曲げられたバイアステープ１１が縫付けてあり、基盤１０が痛むのを防止しているとともに、取扱う際に手にやさしくなっている。
【００１６】
基盤１０の図中における上辺近傍には、持手１２が配置されている。持手１２は、図４に示すように、幅広の帯材１２ａに補強材１２ｂが重ねられ、この補強材１２ｂが重ねられた部分が長手方向に沿って二つ折りにした状態で縫付けてある。また、持手取付部となる持手１２の両端部分は、図５に示すように、バイアステープ１１と基盤１０との間に挟み込まれた状態で縫付けられ、さらに持手１２を基盤１０の外周側に折返し、持手１２が基盤１０の盤面に重ならないようにした状態で再度縫付けられ、基盤１０に固定されている。
【００１７】
基盤１０の一方の面１０ａには、図１における上方に紙片保持部材としての紙挟み２１と、図１における下方の両角部に別の紙片保持部材として伸縮材からなる伸縮帯２２が配置されており、３ヶ所で紙片を盤面上に保持する構成となっている。紙挟み２１は、矩形状に形成された金属製の棒材からなる保持部２１ａが内部に配置されたバネ材（図示せず）によって盤面に付勢保持されている。また、保持部２１ａの角部分には樹脂製の滑止め２１ｂが配置されている。伸縮帯２２は、伸縮自在の帯体からなり、基盤１０の２辺（図１中の左辺と底辺、および右辺と底辺）に跨って配置され、端部がバイアステープ１１と基盤１０の間に狭持された状態で縫付けられている。なお、盤面には、中央部に、方眼目盛２３が表示されており、図１における左辺側の縁部に左辺を等分割する等分目盛２４が表示されている。
【００１８】
基盤１０の他方の面１０ｂには、図２、図３に示すように、収容部３０と、この収容部３０を開閉する蓋部３５とが設けられている。収容部３０は、主収容部３０ａと、補助収容部３０ｂとから構成されている。
【００１９】
主収容部３０ａは、シート部材３９と基盤１０とによって袋状に形成されている。シート部材３９は、蛇腹状に折畳まれつつ、基盤１０に固定されるマチ部３２と、左右のマチ部３２の間に位置する仕切部３３とから構成されている。補助収容部３０ｂは、主収容部３０ａよりも外表面側に位置し、仕切部３３にシート状の光透過材からなる透視部材３４とを重ねることで形成され、間に紙片が数枚程度挿入できる程度の空間である。なお、主収容部３０ａの開口部分である主側開口部３１ａと、補助収容部３０ｂの開口部分である補助側開口部３１ｂとは、図３中上方に向かってそれぞれ開口している。
【００２０】
蓋部３５は、主側開口部３１ａと補助側開口部３１ｂとを開閉可能に、図３中の基盤１０上縁に配置されている。また、蓋部３５と仕切部３３との対向する部位に面ファスナー３８がそれぞれ貼付され、蓋部３５が主側開口部３１ａと補助側開口部３１ｂとを閉じた状態で保持されるようになっている。また、蓋部３５は、内部に筆記具等が収容可能な蓋内収容部３６を備え、この蓋内収容部３６は、蓋内収容蓋部３７によって開閉される。なお、蓋内収容部３６の外表面側に透視部材３４ａを用いることで、蓋内収容部３６に筆記用具が収容されているか否かを目視確認できるようになり、忘れ物を防止することもできる。
【００２１】
以上のような構成により、補助収容部３０ｂに地図等の紙片Ｐを挿入したままの状態で、紙片Ｐに記載された内容が読みとれるとともに、簡便に紙片の紛失、汚損を防止できる。
【００２２】
補助収容部３０ｂに挿入された紙片の視認性を損なわずに開口部３１ａ，３１ｂを蓋部３５で閉止するため、挿入された紙片の紛失を防止しつつ、主収容部３０ａと蓋内収容部３６とで十分な収容容積を確保することができる。
【００２３】
また、持手１２が、盤面上に配置されないので限られた盤面を有効に使うことができる。
【００２４】
次に、第２実施形態の携帯図板５１を図面に基づいて説明する。図６〜図８は本実施形態の携帯図板を示し、図６は本実施形態の携帯図板を一方の面側から見た斜視図、図７は本実施形態の他方の面側から見た斜視図、図８は図７の各部を展開した様子を示す斜視図である。
【００２５】
本実施形態と上記第１実施形態とで大きく異なる点は、収容部５２の構成である。他の構成は、前記第１実施形態と同様であるため、同一構成箇所には同一符号を付してその説明を省略する。
【００２６】
収容部５２は、上記第１実施形態と同様に主収容部５２ａと補助収容部５２ｂとから構成されているが、本実施形態の補助収容部５２ｂは、板状の仕切部５３と、板状の光透過材からなる透視部材５４とを重ねることで形成されている。また、主収容部５２ａは、周縁の一部となる基盤１０の底辺と透視部材５４の底辺とを仕切部５３を内側にして、布材で連結するとともに、周縁の両端部分となる基盤１０と透視部材５４の左辺同士、右辺同士をそれぞれ蛇腹状に折畳まれたシート材からなるマチ部５５で連結することで形成されている。
【００２７】
また、基盤１０と透視部材５４の底辺を除く３辺には、ファスナー５６が配置され、収容部５２はファスナー５６が噛合することで閉じるように構成されている。
【００２８】
なお、主収容部５２ａ内の基盤１０側上縁部には、筆記具などが収容できる第２補助収容部５２ｃが設けられている。また、収容部５２は、補助仕切部５８によって複数に分割されている。
【００２９】
また、上記第１実施形態と異なる細かな点としては、基盤１０の向き、保護材１１、持手１２の取付位置、紐孔５７の形状などが挙げられる。
【００３０】
上記第１実施形態では、基盤１０の向きが縦長になるように持手１２、および紙挟み２１、伸縮帯２２が配置されているが、本実施形態では、基盤１０の向きが横長になるように持手１２、および紙挟み２１、伸縮帯２２が配置されている。
【００３１】
また、上記第１実施形態では、保護材としてのバイアステープ１１は基盤１０に配置されるのみであったが、本実施形態では、基盤１０と透視部材５４とを連結した状態での外周縁を一周するようにバイアステープ１１が配置されている。
【００３２】
さらに、上記第１実施形態では、持手１２は基盤１０に配置されるのみであったが、本実施形態では、透視部材５４にも配置され、携帯図板５１を携行する際の取扱いが良い。
【００３３】
なお、透視部材５４に配置される持手１２は上記第１実施形態と同様に取付けられている。
【００３４】
上記第１実施形態の紐孔１３は、基盤１０の四隅を貫通し、鳩目１３ａによって補強されているが、本実施形態の紐孔５７は、三角環５７ａに帯材５７ｂを通しつつ、帯材５７ｂを二つ折りにし、帯材５７ｂの端部を基盤１０とバイアステープ１１との間に挟込んだ状態で固定されている。これにより、肩紐１４の位置を変更する際に、肩紐１４の係止片１４ａを基盤１０に貫通させて収容部５２内の底部に取出すといった煩雑な作業を解消することができる。なお、本実施形態の紐孔５７を上記第１実施形態に適用することももちろん可能である。
【００３５】
以上のような構成により、上記第１実施形態による作用効果に加え、補助収容部３０ｂに挿入された紙片の視認性を損なうことなく、主収容部３０ａに十分な収容容積を確保することができる。
【００３６】
また、持手１２が基盤１０の外周側に向かって配置されるため、補助収容部３０ｂに挿入された紙片の視認性を損なうことがないとともに、盤面上での書込みの妨げることがない。さらに、持手１２が、盤面上に配置されないので限られた盤面を有効に使うことができる。
【図面の簡単な説明】
【００３７】
【図１】第１実施形態の携帯図板を一方の面側から見た斜視図である。
【図２】第１実施形態の他方の面側から見た斜視図である。
【図３】図２の各部を展開した様子を示す斜視図である。
【図４】持手部の拡大図である。
【図５】図４のＡ−Ａ線に沿った断面図である。
【図６】第２実施形態の携帯図板を一方の面側から見た斜視図である。
【図７】第２実施形態の他方の面側から見た斜視図である。
【図８】図７の各部を展開した様子を示す斜視図である。
【図９】従来技術の平面図である。
【図１０】従来技術の要部拡大図である。
【図１１】従来技術の底面図である。
【符号の説明】
【００３８】
１，５１…携帯図板
１０…基盤
１０ａ…一方の面
１０ｂ…他方の面
１１…保護材
１２…持手
２１，２２…紙片保持部材
３０…収容部
３０…蓋内収容部
３０ａ…主収容部
３０ｂ…補助収容部
３１ａ…主側開口部
３１ｂ…補助側開口部
３２…マチ部
３３…仕切部
３４…透視部材
３５…蓋部
【図１】
0003125112.tif 000003
【図２】
0003125112.tif 000004
【図３】
0003125112.tif 000005
【図４】
0003125112.tif 000006
【図５】
0003125112.tif 000007
【図６】
0003125112.tif 000008
【図７】
0003125112.tif 000009
【図８】
0003125112.tif 000010
【図９】
0003125112.tif 000011
【図１０】
0003125112.tif 000012
【図１１】
0003125112.tif 000013